(57)【要約】【課題】構成が簡易で、反復使用が可能であり、安価で経済的なゴルフティーを提供する。【解決手段】ゴルフボール搭載部８と地面突刺部１４とその間に間挿された連結部１５とかから構成されており、当該３構成部分が、同一の合成樹脂材料により、一体成型加工されて構成されたゴルフティー１。【選択図】図１
2019076648.tif 000002
【特許請求の範囲】
【請求項１】
所望の長さと所望の断面形状を有する中空状の筒体部からなり、当該中空状の筒体部の一方の端部（第１の端部）は、第１の径部Ｄ１を有する閉鎖状底面部を形成しており、当該中空状の筒体部の他方の端部（第２の端部）には、複数個のゴルフボール支持片部が放射状に個別的に延展突出せしめられているゴルフボール受部が形成されている、ゴルフボール搭載部と、
所望の長さと所望の断面形状を有する筒体部からなり、当該筒体部の長手方向に於ける、当該ゴルフボール搭載部と対向する側における一方の端部（第３の端部）は、当該ゴルフボール搭載部に於ける当該第１の径部Ｄ１よりも大なる長さを持つ第２の径部Ｄ２を有すると共に、当該筒体部の長手方向に於ける他方の端部(第４の端部)には、先鋭状の端部が形成されており、且つ、当該一方の端部（第３の端部）に於ける当該ゴルフボール搭載部と対向する部位には、当該第２の径部Ｄ２の長さよりも大なる長さである第４の径部Ｄ４を有するフランジ部が接合形成されている地面突刺部と、
当該ゴルフボール搭載部に於ける当該一方の端部（第１の端部）と、当該ゴルフボール搭載部に対向する当該地面突刺部に於ける当該一方の端部（第３の端部）に設けられた当該フランジ部との間に連結配置されている、所望の長さと所望の断面形状を有し、且つ、当該ゴルフボール搭載部に於ける当該一方の端部（第１の端部）に於ける当該第１の径部Ｄ１よりも短い長さである第３の径部Ｄ３を有する連結部と
から構成されたゴルフティーであって、然も、当該ゴルフボール搭載部と当該地面突刺部と当該連結部とは、同一の組成からなる合成樹脂材料により一体成型された構造を有するものである事を特徴とするゴルフティー。
【請求項２】
当該合成樹脂材料は、ナイロン６樹脂、ナイロン６６樹脂、ナイロン１２樹脂及び熱可塑性ポリエステルエラストマー樹脂或いはポリアセタール樹脂、ポリカーボネート樹脂等の所謂エンジニアリング樹脂等から選択された一つの合成樹脂材料である事を特徴とする請求項１に記載のゴルフティー。
【請求項３】
当該第１の径部の長さＤ１は、４．５φ〜（５．０φ）〜５．５φであり、
当該第２の径部の長さＤ２は、５．２２φ〜（５．８φ）〜６．３８φであり、
当該第３の径部の長さＤ３は、２．１６φ〜（２．４φ）〜２．６４φである事を特徴とする請求項１又は２に記載のゴルフティー。       
【請求項４】
当該第４の径部の長さＤ４は、１０．８φ〜（１２．０φ）〜１３．２φである事を特徴とする請求項３に記載のゴルフティー。
【請求項５】
当該第３の径部の長さＤ３に対する当該第１の径部の長さＤ１の比（Ｄ１／Ｄ３）が２．０前後であり、
当該第３の径部の長さＤ３に対する当該第２の径部の長さＤ２の比（Ｄ２／Ｄ３）が、２．４前後であり、又、当該第１の径部の長さＤ１に対する当該第２の径部の長さＤ２の比（Ｄ２／Ｄ１）が１，１７前後であることを特徴とする請求項１乃至４の何れかに記載のゴルフティー。
【請求項６】
当該ゴルフボール搭載部に於ける当該筒体部の一方の端部(第１の端部)に形成されている当該閉鎖状底面部と当該連結部の一方の端部との接合部分には、所望の曲率半径Ｒ１を以て構成された第１の湾曲部（アール（Ｒ）部）が形成されており、当該地面突刺部に取り付けられている当該フランジ部と当該連結部の他方の端部との接合部分には、所望の曲率半径Ｒ２を以て構成された第２の湾曲部（アール（Ｒ）部）が形成されており、更に、当該フランジ部と当該地面突刺部を構成する当該筒体部の一方の端部(第１の端部)との接合部分には、所望の曲率半径Ｒ３を以て構成された第３の湾曲部（アール（Ｒ）部）が形成されていることを特徴とする請求項１乃至５の何れかに記載のゴルフティー。
【請求項７】
当該第１の湾曲部に於ける当該曲率半径Ｒ１は、３乃至６ｍｍ前後であり、当該第２の湾曲部に於ける当該曲率半径Ｒ２は、３乃至６ｍｍ前後であり、当該第３の湾曲部に於ける当該曲率半径Ｒ３は、２ｍｍ前後であることを特徴とする請求項１乃至６の何れかに記載のゴルフティー。
【請求項８】
当該連結部の長手方向の長さＬは、８ｍｍ乃至１２ｍｍである事を特徴とする請求項１乃至７の何れかに記載のゴルフティー。
【請求項９】
当該連結部の長手方向の長さＬに対する当該連結部の径部の長さ（第３の径部の長さＤ３）の比が、０．２２乃至０．２７である事を特徴とする請求項８に記載のゴルフティー。
【請求項１０】
当該地面突刺部に於ける当該筒体部の外周表面には、当該筒体部の長手方向に沿って所定の間隔で、当該筒体部の長手方向中心軸線と直交する方向に、所定の高さを有する環状の突起部からなる複数本の摩擦発生部が、配置されていることを特徴とする請求項１乃至９の何れかに記載のゴルフティー。
【発明の詳細な説明】
【技術分野】
【０００１】
本発明は、ゴルフティーに関するものであり、更に詳しくは、簡易な構成でありながら、適度の剛性と柔軟性を持ち、ティーショット時に於けるゴルフティーとクラブヘッドの衝突時における当該ゴルフティーの破損を少なくし、且つ、ティーショット時に当該ゴルフティーが、そのセット地点に、そのまま保持されるか、或いは飛ばされても当該ゴルフティーが、当該セットした地点の極近傍の範囲内に着地する様に構成されている事から、ティーショット後の当該ゴルフティーを探し回る時間と手間が大幅に削除され、その結果、ゴルフプレイの時間を大幅に削減出来ると言う優れた作用効果を有するゴルフティーに関するものである。
【背景技術】
【０００２】
従来より、ゴルフのプレーを行う場合には、各ホールに於けるティーグランドに於いて、最初のティーショットを行う際には、通常、ゴルフボール受部と地面突刺部とが一体に形成された木製若しくは合成樹脂製のゴルフティーを使用し、当該ティーグランドの地表面に突き刺した当該ゴルフティーの当該ゴルフボール受部にゴルフボールを搭載して、所望のクラブで当該ゴルフボールを打球することにより、当該ゴルフボールを所望の方向に、所望の距離だけ飛ばすことによりゴルフ競技が開始される。
処で、当該ゴルフティーは、通常、ゴルフボールを所望のクラブで打球する際に同時に当該クラブで打撃される事になる為、容易に破壊されるので、複数回の使用が期待できないので、常に新品を予め多数準備して於いて、当該ゴルフティーが破損した場合には、新品のゴルフティーと交換して使用することになるので、不便であり、更には、経済的コストの増大に繋がると言う問題を含んでいた。
【０００３】
一方、ティーアップされた当該ゴルフボールを所望のクラブで打球する際に、当該ゴルフティーも同時に当該クラブで打撃される事になるので、特にプロゴルファーを除く一般的なゴルフプレーヤーであっては、ティーショット時に当該ゴルフティーが、多方向に且つ、かなりの距離を持って飛散する事が多く発生し、其のたびに、当該飛散した当該ゴルフティーを探し出す為の努力を強いられているのが現状であり、この事は、全体のゴルフプレー時間を遅延させる原因の一つになっている。
更に、ティーアップされた当該ゴルフボールを所望のクラブで打球する際にその際に、当該クラブと当該ゴルフティーとの間にかなりの摩擦抵抗や衝撃抵抗が発生し、その結果、ゴルフボールに印加されるべき所望の衝撃強度が減殺され、その結果、当該ゴルフボールの飛行距離が伸びずに短くなったり、当該摩擦抵抗や衝撃抵抗の発生により、クラブのフェース面が微妙にずれて、ゴルファーの所望する飛行方向とは異なる方向にゴルフボールが飛んで行くという問題が多々発生していた。
上記した、ゴルフティーに関する種々の問題点を解決する為に、これまでに、多くの提案がなされて来ており、その主な改良技術としては、例えば、特開２０１０-１７８９６６号公報(特許文献１)に開示されている様に、ゴルフボール搭載部と地面突刺部とが合成樹脂により一体的に形成されており、その中間部にはくびれ部が形成されたゴルフティーが開示されているが、係る発明の技術思想は、ゴルファーがティーアップされたゴルフボールを所望のクラブで打球する際に、当該ゴルフティーが目に入らない様に細くし且つ透明化して、打球の際の精神的不安定化を防止しようとするものであって、当該ゴルフティーに柔軟性を持たせ、その破壊防止や衝撃抵抗の低減化を目的としたものではないことは明白である。
【０００４】
又、特開２００７-９８０８５号公報(特許文献２)には、同様の観点から当該ゴルフティーの当該ゴルフボール搭載部の中心部と当該地面突刺部の中心線部とをずらすことにより、ゴルフボールの打球時に、ゴルファーが当該ゴルフティーの存在に気がつかない様にして打球の際の精神的不安定化を防止しようとする様に構成された技術が開示されてはいるが、当該ゴルフティーそのものに柔軟性を持たせ、その破壊防止や衝撃抵抗の低減化を目的としたものではないことは明白である。
一方、特開２００４−２５４９６２号公報(特許文献３)や特開２００４−２５４９６１号公報(特許文献４)には、ゴルフボール搭載部と地面突刺部とを別々の部材として構成し、当該ゴルフボール搭載部を、当該地面突刺部に接続固定された連結部をスライド出来るように構成されたゴルフティーが開示されているが、何れの発明に於いても当該ゴルフボール搭載部と当該地面突刺部と当該連結部とを相互に異なる合成樹脂材で個別に形成し、それらを嵌合や捻じ込み操作を介して連結形成した構造を有するものであり、確かに、ゴルフティーに柔軟性と打球時の摩擦抵抗や衝撃抵抗を軽減させる効果はみられるものの、製造工程が複雑であり、ゴルフティーそのものの製造コストは高騰することになるので、経済的なゴルフティーとは言い難い。
【０００５】
更に、特許第４３８２５６３号公報(特許文献５)には、ゴルフボール搭載部と地面突刺部とを別々の合成樹脂材料を使用して個別に構成し、当該ゴルフボール搭載部と当該地面突刺部とを別の合成樹脂材料で構成されたコイルバネ部を介して接合したゴルフティーが開示されているが、当該ゴルフボール搭載部と当該地面突刺部と当該コイルバネ部からなる連結部とを相互に異なる合成樹脂材で個別に形成し、それらを嵌合や捻じ込み操作を介して連結形成した構造を有するものであり、確かに、ゴルフティーに柔軟性と打球時の摩擦抵抗や衝撃抵抗を軽減させる効果はみられるものの、製造工程が一層複雑であり、ゴルフティーそのものの製造コストは大幅に高騰することになるので、経済的なゴルフティーとは言い難い。
即ち、従来に於けるゴルフティーに於いて、ティーショット時に、当該ゴルフティーと所望のクラブヘッドとの衝突時に、当該ゴルフティーが、当該セットされた地点に、そのまま保持されているか、或いは飛ばされても当該ゴルフティーが、当該セットした地点の極近傍の範囲内に着地する様になっていれば、ティーショット後の当該ゴルフティーを探し回る時間と手間が大幅に削除され、その結果、ゴルフプレイの時間を大幅に削減出来ると言うに優れた作用効果が得られる事になり、更に、従来に於けるゴルフティーに於いて、ティーショット時に、当該ゴルフティーと所望のクラブヘッドとの衝突時に於いて、当該ゴルフティーの破損を防止すると共に、当該ゴルフティーと当該クラブヘッドとの衝突時に於ける摩擦抵抗や衝撃抵抗を低減させて、ゴルフボールの飛距離の増大と飛行方向の確実性を向上させる事が可能な、安価で使用が容易で且つ何回でも繰り返し使用が可能な経済的な効果を有するゴルフティーに対する要請が高まっていた。
【先行技術文献】
【特許文献】
【０００６】
【特許文献１】特開２０１０-１７８９６６号公報
【特許文献２】特開２００７-０９８０８５号公報
【特許文献３】特開２００４−２５４９６２号公報
【特許文献４】特開２００４−２５４９６１号公報
【特許文献５】特許第４３８２５６３号公報
【発明の概要】
【発明が解決しようとする課題】
【０００７】
従って、本発明の目的は、上記した従来技術の問題点を改良し、構成が簡易で、軽量化が実現され、且つ、ティーショット時に、当該ゴルフティーと所望のクラブヘッドとの衝突時に於いて、当該ゴルフティーの破損を防止すると共に、当該ゴルフティーと当該クラブヘッドとの衝突時に於ける摩擦抵抗や衝撃抵抗を低減させて、ゴルフボールの飛距離の増大と飛行方向の確実性を向上させる事が可能な、安価で使用が容易で、然も何回でも繰り返し使用が可能な経済的な効果を有するゴルフティーを提供するものである。
本発明は、ゴルフティーに関するものであり、更に詳しくは、簡易な構成でありながら、適度の剛性と柔軟性を持ち、ティーショット時に於ける当該ゴルフティーとクラブヘッドの衝突時における当該ゴルフティーの破損を少なく、且つ、ティーショット時に当該ゴルフティーが、そのセット地点にそのまま保持されているか、或いは飛ばされても当該ゴルフティーが、当該セットした地点の極近傍の範囲内に着地する様に構成されている事から、ティーショット後の当該ゴルフティーを探し回る時間と手間が大幅に削除されるので、ゴルフプレイの時間を大幅に削減出来ると言うに優れた作用効果を有するゴルフティーに関するものでると同時に、ティーショット時に於ける当該ゴルフティーとクラブヘッドの衝突時における抵抗を小さくし、且つそれによるゴルフティーの破損も少ないことから、多数回もの使用に耐え、経済的であると同時に、ゴルフボールへ付加される衝撃力を低下させる事がないことから、ゴルフボールの飛距離も伸ばせるという優れた作用効果を有するゴルフティーに関するものである。
更に、本発明に係るゴルフティーは、当該連結部が有する特定の形状並びに使用される合成樹脂の特性とから発生される可撓性に基づく撓（しなり）効果と当該地面突刺部が所有する地中面との高摩擦効果との相乗効果によって、ティーショット時に於いて当該ゴルフティーが、ティーアップした地点から飛散せずにその位置に保持される確立を大幅に向上させるという効果も期待出来る。
【課題を解決するための手段】
【０００８】
本発明は、上記した従来技術の問題点を解決し、上記した本発明の目的を達成する為に、基本的には、以下に示す様な技術構成を採用するものである。
即ち、本発明の第１の態様は、所望の長さと所望の断面形状を有する中空状の筒体部からなり、当該中空状の筒体部の一方の端部（第１の端部）は、第１の径部Ｄ１を有する閉鎖状底面部を形成しており、当該中空状の筒体部の他方の端部（第２の端部）には、複数個のゴルフボール支持片部が放射状に個別的に延展突出せしめられているゴルフボール受部が形成されている、ゴルフボール搭載部と、
所望の長さと所望の断面形状を有する筒体部からなり、当該筒体部の長手方向に於ける、当該ゴルフボール搭載部と対向する側における一方の端部（第３の端部）は、当該ゴルフボール搭載部に於ける当該第１の径部Ｄ１よりも大なる長さを持つ第２の径部Ｄ２を有すると共に、当該筒体部の長手方向に於ける他方の端部(第４の端部)には、先鋭状の端部が形成されており、且つ、当該一方の端部（第３の端部）に於ける当該ゴルフボール搭載部と対向する部位には、当該第２の径部Ｄ２の長さよりも大なる長さである第４の径部Ｄ４を有するフランジ部が接合形成されている地面突刺部と、
当該ゴルフボール搭載部に於ける当該一方の端部（第１の端部）と、当該ゴルフボール搭載部に対向する当該地面突刺部に於ける当該一方の端部（第３の端部）に設けられた当該フランジ部との間に連結配置されている、所望の長さと所望の断面形状を有し、且つ、当該ゴルフボール搭載部に於ける当該一方の端部（第１の端部）に於ける当該第１の径部Ｄ１よりも短い長さである第３の径部Ｄ３を有する連結部材と
から構成されたゴルフティーであって、然も、当該ゴルフボール搭載部と当該地面突刺部と当該連結部材とは、同一の組成からなる合成樹脂材料により一体成型された構造を有するものである事を特徴とするゴルフティーであり、又、本発明に係る第２の態様としては、上記した本発明に係る第１の態様に於いて、当該合成樹脂材料は、ポリオレフィン系合成樹脂、ポリプロピレン系合成樹脂、ＡＢＳ合成樹脂等の所謂汎用性合成樹脂とは異なる、ナイロン６樹脂、ナイロン６６樹脂、ナイロン１２樹脂及び熱可塑性ポリエステルエラストマー樹脂或いはポリアセタール樹脂、ポリカーボネート樹脂等の所謂エンジニアリング樹脂等から選択された一つの合成樹脂材料である事を特徴とするゴルフティーである。
【０００９】
一方、本発明に係る第３の態様としては、上記した本発明に係る当該第１及び第２の各態様に於いて、当該地面突刺部に於ける当該筒体部の外周表面には、当該筒体部の長手方向に沿って所定の間隔で、当該筒体部の長手方向中心軸線と直交する方向に、所定の高さを有する環状の突起部からなる複数本の摩擦発生部が、配置されていることを特徴とするゴルフティーである。
係る摩擦発生部の存在により、ティーショット時に、当該ゴルフティーの地面突刺し部と地中の土部との摩擦性が大幅に強化されているので、当該ゴルフティーが飛散する機会の発生を大幅に抑制することが可能となる。
【発明の効果】
【００１０】
本発明に係る当該ゴルフティーは上記した様な、技術構成を採用している事から、構成が簡易で、軽量化が実現され、且つ、ティーショット時に、当該ゴルフティーと所望のクラブヘッドとの衝突時に於いて、当該ゴルフティーの破損を防止すると共に、当該ゴルフティーと当該クラブヘッドとの衝突時に於ける摩擦抵抗や衝撃抵抗を低減させて、ゴルフボールの飛距離の増大と飛行方向の確実性を向上させる事が可能な、一体成型品であるが故に、安価で使用が容易で、然も何回でも繰り返し使用が可能な経済的な効果を有するゴルフティーを提供する事が可能となる。
【図面の簡単な説明】
【００１１】
【図１】図１は、本発明に係るゴルフティーに於ける一具体例の構成の一例を示す側面図である。
【図２】図２は、本発明に係るゴルフティーに於ける一具体例の構成の一例を示す断面面図である。
【図３】図３は、本発明に係るゴルフティーに於ける一具体例の構成の一例を示す斜視図である。
【発明を実施するための形態】
【００１２】
以下に本発明に係る当該ゴルフティーに付いて、具体的な構成例を、図面を参照しながら詳細に説明する。
即ち、図１は、本発明に係る当該ゴルフティー１の一具体例の構成説明する図であり、図中、所望の長さと所望の断面形状を有する中空状の筒体部２からなり、当該中空状の筒体部２の一方の端部（第１の端部）３は、第１の径部Ｄ１を有する閉鎖状底面部４を形成しており、当該中空状の筒体部２の他方の端部（第２の端部）５には、複数個のゴルフボール支持片部６が放射状に個別的に延展突出せしめられているゴルフボール受部７が形成されている、ゴルフボール搭載部８と、
所望の長さと所望の断面形状を有する筒体部９からなり、当該筒体部９の長手方向に於ける、当該ゴルフボール搭載部８と対向する側における一方の端部（第３の端部）１０は、当該ゴルフボール搭載部８に於ける当該第１の径部Ｄ１よりも大なる長さを持つ第２の径部Ｄ２を有すると共に、当該筒体部の長手方向に於ける他方の端部(第４の端部)１１には、先鋭状の端部１２が形成されており、且つ、当該一方の端部（第３の端部）１０に於ける当該ゴルフボール搭載部８と対向する部位には、当該第２の径部Ｄ２の長さよりも大なる長さである第４の径部Ｄ４を有するフランジ部１３が接合形成されている地面突刺部１４と、
当該ゴルフボール搭載部８に於ける当該一方の端部（第１の端部）３と、当該ゴルフボール搭載部８に対向する当該地面突刺部１４に於ける当該一方の端部（第３の端部）１０に設けられた当該フランジ部１３との間に連結配置されている、所望の長さと所望の断面形状を有し、且つ、当該ゴルフボール搭載部８に於ける当該一方の端部（第１の端部）３に於ける当該第１の径部Ｄ１よりも短い長さである第３の径部Ｄ３を有する連結部１５と
から構成されたゴルフティー１であって、然も、当該ゴルフボール搭載部８と当該地面突刺部１４と当該連結部１５とは、同一の組成からなる合成樹脂材料により一体成型された構造を有するものである事を特徴とするゴルフティー１が示されている。
【００１３】
本発明者は、上記された様な従来の問題点の解決に関し、本発明の目的を達成する為のゴルフティーの構成や素材等に関し鋭意検討し、多数の試作設計並びに多数の比較実験を繰り返した結果、従来、当該ゴルフティーの材料としては、殆ど顧みられていなかった機械的強度の強い、所謂、エンジニアリングプラスチックを使用し、且つ、当該ゴルフティーの構造や各部分のディメンジョンを特定の範囲内に限定することによって、同一の、即ち一種類の合成樹脂のみを使用して、上記した、耐衝撃性に優れ且つ柔軟性にも優れた、破損が少なく、且つ、クラブヘッド部のゴルフボールに対する衝撃力を低下させる事がなく、当該ゴルフボールの飛行距離の増大と飛行方向の適正化が実現出来ると共に、ティーショット時にゴルフティーが飛散することを防止出来、一体成型品であるが故に安価で、操作性に優れた経済的なゴルフティーを得る事が出来ると言う技術思想を知得したものである。
【００１４】
然しながら、従来に於けるゴルフティーに関する合成樹脂を用いた一体成型品に於いては、一種類の特定の合成樹脂成分を使用して、本発明の目的とする様な優れた特性を有するゴルフティーを製造すると言う技術思想は全く開示されておらず、それを示唆する公知例も見当たっていないのが現状である。
つまり、上記した従来の当該ゴルフティーの製造方法に於いては、本発明の目的とする様な優れた特性を有するゴルフティーを製造しようとする場合、何れか１種類の合成樹脂成分のみを使用して一体成型技術で、本発明で目的とする優れたゴルフティーを製造する事は全く不可能なことであり、その為に、当該ゴルフボール搭載部と当該地面突刺部と当該連結部とを別々の合成樹脂材料で成形したのち、それぞれの部品を手動式或いは機械的操作によって合体させて製造する以外には、本発明と同じ様なゴルフティーを製造する事が不可能であったのである。
【００１５】
これに対し、本願発明者は、本発明に係る当該ゴルフティーを一体的に成形した場合に、当該ゴルフボール搭載部８と当該地面突刺部１４と当該連結部１５とに要求される個別の特性をすべて満足できる様な合成樹脂材用を選定することに鋭意努力し、その上で、選定された合成樹脂成分と当該ゴルフボール搭載部８と当該地面突刺部１４と当該連結部１５の各部位における特定のディメンジョンを特定化して組み合わせを限定すると言う技術構成を採用することにより、同一つまり一種類の合成樹脂を使用して、一体成型加工することによって、本発明の目的とする特性を満足するゴルフティーを製造する事を可能としたものである。
【００１６】
本発明者は、上記観点から本発明に使用可能な成形可能合成樹脂を多数品種使用して製造並びに特性に関する実験と評価を多数繰り返し、鋭意検討した結果、最終的には、ポリオレフィン系合成樹脂、ポリプロピレン系合成樹脂、ＡＢＳ合成樹脂等の所謂汎用性合成樹脂とは異なる、ナイロン６樹脂、ナイロン６６樹脂、ナイロン１２樹脂及び熱可塑性ポリエステルエラストマー樹脂或いはポリアセタール樹脂、ポリカーボネート樹脂等の所謂エンジニアリング樹脂等から選択された一つの合成樹脂材料が本発明に係る当該ゴルフティーを製造する為に最適な合成樹脂材料である事を知得したものである。
【００１７】
次に、本発明に係る当該ゴルフティー１の具体例に於けるより詳細な別の構成例を説明するならば、図１及び図２に記載されている通り、例えば、所望の長さと所望の断面形状を有する中空状の筒体部２からなり、当該筒体部２の長手方向に於ける一方の端部（第１の端部）３は、所定の長さの最大径部を持つ第１の径部Ｄ１を有する閉鎖状底面部４を形成しており、当該中空状の筒体部２の当該一方の端部（第１の端部）３から他方の端部（第２の端部）５に向けて、漸次、当該第１の径部Ｄ１が増大する様に延展せしめられているか、或いは、当該一方の端部（第１の端部）３から所定の距離の間では、当該中空状の筒体部２に於ける当該第１の径部Ｄ１の長さが一定の状態で維持されたまま延展部せしめられ、その後、当該第１の径部Ｄ１が漸次増大する様に延展せしめられている様に構成され、且つ、当該他方の端部（第２の端部）５若しくはその近傍部には、複数個のゴルフボール支持片部６が放射状に個別的に延展突出せしめられて、ゴルフボール受部７が形成されているゴルフボール搭載部８と、所望の長さと所望の断面形状を有する筒体部９からなり、当該筒体部９の長手方向に於ける、当該ゴルフボール搭載部８と対向する側における当該一方の端部（第３の端部）１０は、当該ゴルフボール搭載部８に於ける当該一方の端部（第１の端部）３に於ける当該第１の径部Ｄ１よりも大なる長さを持つ第２の径部Ｄ２を有すると共に、当該一方の端部（第３の端部）１０から、当該筒体部９の長手方向に於ける他方の端部(第４の端部)１１に向けて、漸次当該第２の径部Ｄ２が減少する様に延展せしめられているか、或いは、当該一方の端部（第３の端部）１０から所定の距離の間では、当該筒体部９に於ける当該第２の径部Ｄ２の長さが一定の状態で維持されたまま延展部せしめられ、その後、当該第２の径部Ｄ２の長さが漸次減少する様に延展せしめられて終局的には、当該他方の端部(第４の端部)１１に、先鋭状の端部１２が形成されており、且つ、当該一方の端部（第３の端部）１０に於ける当該ゴルフボール搭載部８と対向する部位には、所望の平面形状と所望の厚みを有し、且つ、当該第２の径部Ｄ２の長さよりも大なる長さを有する第４の径部Ｄ４を有するフランジ部１３が接合形成されている地面突刺部１４と、当該ゴルフボール搭載部８に於ける当該一方の端部（第１の端部）３と、当該ゴルフボール搭載部８に対向する当該地面突刺部１４に於ける当該一方の端部（第３の端部）１０に設けられた当該フランジ部１３との間に連結配置されている、所望の長さと所望の断面形状を有し、且つ、当該ゴルフボール搭載部８に於ける当該一方の端部（第１の端部）３に於ける当該第１の径部Ｄ１よりも短い長さである第３の径部Ｄ３を有する連結部１５とから構成されたゴルフティー１であって、然も、当該ゴルフボール搭載部８と当該地面突刺部１４と当該連結部１５とは、同一の組成からなる合成樹脂材料により一体成型された構造を有するゴルフティー１である。
【００１８】
以下に、本発明に係る当該ゴルフティー１の全体的な構成の中で、当該選択された合成樹脂材料との関連に於いて具体的に特定された各構成部分の設計構造を詳細に説明する。
先ず、本発明に於ける当該ゴルフティー１の一部を構成する、ゴルフボール３０を載置せしめる当該ゴルフボール搭載部８に付いて説明するならば、当該ゴルフボール搭載部８は、所望の長さ、例えば、２０ｍｍ乃至３０ｍｍの長尺方向長さと、所望の断面形状、例えば、円形状、多角形状等を有する中空状の筒体部２から構成されている。
当該筒体部２は、図２に於ける断面図から明らかな通り、その上端部５（つまり第２の端部）から下端部３（つまり第１の端部）３にかけて、その内部連続的に形成された中空状に構成され、その内部に連続した空間領域部１６が形成されているものである事が望ましい。
これは、当該筒体部２を中空状の筒体部に構成しておき、これに柔軟性を付与する結果、当該ゴルフティー１の当該筒体部２が、ゴルフボール３０と共に、クラブヘッドにより打撃された際に、当該筒体部２が衝撃力や衝撃摩擦を吸収し、容易に変形することにより、当該ゴルフボール搭載部８の破壊を防止し、複数回の使用を可能にすることになる。
【００１９】
一方、当該ゴルフボール搭載部８に於ける、当該中空状空間領域部１６の断面形状は特に特定されるものではないが、上記した様な、当該筒体部２の外側周縁部の断面形状と同一或いはこれに近似した断面形状を有している事が望ましい具体例である。
又、当該筒体部２と当該中空状空間領域部１６との間の壁厚も特に限定されるものではなく、任意の厚みに設定する事が可能である。
更に、本発明に於ける当該ゴルフボール搭載部に於ける当該筒体部２の下方の端部、つまり、当該筒体部２の長手方向に於ける一方の端部（第１の端部）３は、閉鎖状底面部４を形成しているものである。
即ち、本発明に於ける当該ゴルフボール搭載部８に於ける当該中空状の筒体部２は、その一方の端部、つまり下端部３は、密閉された壁材で閉鎖された構成を有しており、他方の端部、つまり上端部５は、外部に連通した開放状端部を形成しているものである。
【００２０】
本発明に於ける当該閉鎖状底面部４は、所定の長さの最大径部を持つ第１の径部Ｄ１を有するものであって、当該第１の径部Ｄ１の長さは、特に限定されるものではないが、望ましくは、例えば、４．５０ｍｍ〜５．５０ｍｍであり、好ましくは５．０ｍｍである。
更に、本発明に於ける当該中空状の筒体部２の構成形状は、当該一方の端部（第１の端部）３から他方の端部（第２の端部）５に向けて、均一な径部を有するものであっても良いが、好ましくは、当該第１の径部Ｄ１が漸次、増大する様に延展せしめられている構成を採用するものであっても良く、或いは、当該一方の端部（第１の端部）３から所定の距離の間、例えば数ｍｍから１０数ｍｍ程度までは、当該中空状の筒体部２に於ける当該第１の径部Ｄ１の長さが一定の状態で維持されたまま延展部せしめられ、その後、当該第１の径部Ｄ１が漸次増大する様に延展せしめられている様に構成されたものであっても良い。
本発明に於ける当該ゴルフボール搭載部８に於ける当該中空状の筒体部２の上端部５に於ける開放端部の径部、つまり第５の径部Ｄ５は、例えば、１０ｍｍ乃至１８ｍｍ程度に形成されることが望ましい具体例である。
【００２１】
一方、本発明に於ける当該ゴルフボール搭載部８に於ける当該中空状の筒体部２の上端部５若しくはその近傍部には、複数個のゴルフボール支持片部６が放射状に個別的に延展突出せしめられている事が望ましい具体例であり、当該数個のゴルフボール支持片部６で、ゴルフボール受部７が形成されている。
当該ゴルフボール支持片部６は、当該中空状の筒体部２の外壁部分の拡大方向線に沿って、連続的に中心線より５ｍｍから１０ｍｍ程度、外方に一体的の突出成形されているものである。
【００２２】
一方、本発明に於ける当該ゴルフティー１を構成する当該地面突刺部１４は、所望の長さと所望の断面形状を有する非中空状の筒体部９からなり、当該筒体部９の長手方向の長さは、特に限定されるものではないが、例えば、２５ｍｍ乃至５０ｍｍの範囲で適宜に選択されることが望ましく、又、その断面形状も特に限定されるものではないが、例えば、円形状、多角形状等を有する筒体部９である事が望ましい具体例である。
更に、本発明に係る当該地面突刺部１４に於ける、当該ゴルフボール搭載部８と対向する側における当該一方の端部（第３の端部）１０は、当該ゴルフボール搭載部８に於ける当該一方の端部（第１の端部）３に於ける当該第１の径部Ｄ１よりも大なる長さを持つ第２の径部Ｄ２を有するものである事が必要である。
具体的には、当該第２の径部Ｄ２は、例えば、５．０４ｍｍ〜６．１６ｍｍである事が望ましく、より好ましい具体例としては、当該第２の径部の長さＤ２は、５．８ｍｍである。
【００２３】
更に、本発明に於ける当該地面突刺部１４に於ける当該筒体部９の他方の端部１１（つまり第４の端部）は、当該基板部４を地中に差し込む操作を容易に達成出来る様に、先鋭化された突起状部１２を形成している事が望ましい具体例であり、その為、当該筒体部９は、その中間部分の所望の部位から当該尖端部１１にかけて、その径部、即ち当該第２の径部Ｄ２の長さ、がその先端部に向けて漸次減少する様に構成されている事が望ましい。
より具体的には、当該非中空状の筒体部９に於ける、長手方向でみた、当該一方の端部（第３の端部）１０から、当該筒体部９の長手方向に於ける他方の端部(第４の端部)１１に向けて、漸次当該第２の径部Ｄ２が減少する様に延展せしめられているか、或いは、当該一方の端部（第３の端部）１０から所定の距離の間、例えば、１０ｍｍ乃至３０ｍｍの間では、当該筒体部９に於ける当該第２の径部Ｄ２の長さが一定の状態で維持されたまま延展部せしめられ、その後、当該第２の径部Ｄ２の長さが漸次減少する様に延展せしめられて終局的には、当該他方の端部(第４の端部)１１に、先鋭状の端部１２が形成される様に構成されているものであっても良い。
【００２４】
一方、本発明に於ける当該ゴルフティー１に於いては、当該筒体部９の当該一方の端部（第３の端部）１０に於ける、当該ゴルフボール搭載部８と対向する面を構成する部位には、所望の平面形状と所望の厚みを有するフランジ部１３が接合形成されているものであって、当該フランジ部１３の平面形状やその厚みは特に限定されるものではないが、例えば、円形状或いは多角形状の平面形状で、厚みが１．５ｍｍ乃至３ｍｍ程度に設定されている事が望ましい具体例である。
当該フランジ部１３は、本発明に係る当該ゴルフティー１を所望のティーグランドに於ける所望の地表面に突き刺して固定する場合に、当該ゴルフティー１の中心軸線が、当該ティーグランドの地表面に対して略垂直に突き刺さる様に、ゴルフプレーヤーをアシストする機能を有するものであり、更には、当該フランジ部１３は、当該フランジ部１３が、当該ティーグランドの地表面と並行して接触した状態が、当該ゴルフボール３０が、当該ティーグランドの地表面から標準的な高さに設定される様な位置に設けられている事が望ましい具体例である。
【００２５】
又、当該フランジ部１３は、本発明に係る当該ゴルフティー１を当該ティーグランドの地表面に垂直に突き刺す事が出来る様な機能を有するものであって、従って、当該フランジ部１３の形成する平面と当該地面突刺部１４の長手方向の中心軸線とは、直交する様に配置される事が望ましい具体例である。
更に、本発明に於いて使用される当該フランジ部１３の径の長さ、つまりその最大径の長さ（第４の径部Ｄ４）は、特に限定されるものではないが、例えば、当該地面突刺部１４に於ける当該筒体部９の当該一方の端部（第３の端部）１０が示す径部の長さ、つまり、当該第２の径部Ｄ２よりも長い長さに設定されている事は望ましい具体例であり、例えば、１０．８ｍｍ〜１３．２ｍｍである事が好ましく、この長さは、当然のことながら、当該ゴルフボール搭載部８に於ける下端部３に於ける底面部４の最大径部の長さ、つまり当該第１の径部Ｄ１よりも長く設定されるものである事は言うまでもない。
尚、本発明に於ける当該地面突刺部１４の当該筒体部９の外周表面には、当該地面突刺部に於ける当該筒体部の外周表面３２には、当該筒体部９の長手方向に沿って所定の間隔で、当該筒体部９の長手方向中心軸線と直交する方向に、所定の高さを有する環状の突起部３３からなる複数本の摩擦発生部３１が、配置されていることが好ましい具体例の一つである。
【００２６】
本発明に於いて使用される当該摩擦発生部３１は、当該筒体部９の外周表面３２の面上から外方に向けて突出形成された環状の突起物で構成されているものであっても良く、その断面形状や、突起の高さ或いは配置間隔等は特に限定されるものではなく、任意に設定されるものであってもよいが、例えば、断面形状が半円球、矩形、三角形等から選択された一つの断面形状を有し、かつその突起高さは、例えば、筒体部の本体表面部から０．２ｍｍ乃至０．５ｍｍであっても良く、更に、その相互配列間隔や使用個数は、例えば、３個から７個で、２ｍｍ乃至１０ｍｍの相互間隔で配置されているものであってもよい。
勿論、本発明に於ける当該摩擦発生部３１も、上記した各構成部材と同様の合成樹脂成分を使用して、一体型成型加工により成型されたものであることが望ましい具体例である。
そして、本発明に於いて使用される当該筒体部９の外周表面３２上に配置される当該摩擦発生部３１は、当該ゴルフティー１を地中から引き抜く際の抵抗成分としての機能を有するものであって、ティーショット時にゴルフティーがその衝撃力によって、思わぬ方向に飛散することを防止出来ると言う優れた作用効果を発揮することが可能となるのである。
本発明に於ける当該ゴルフティー１は、更に、上記した当該ゴルフボール搭載部８と当該基板部１４とを一体的に連結結合させている当該連結部１５が配置形成されているものである。
即ち、本発明に於いて使用される当該連結部１５は、所望の長さを有し、且つ所望の断面形状を有する棒状体から構成されており、当該長手方向の長さとその断面形状は特に特定されるものではないが、例えば、円形、多角形の中実型円筒体（つまり非中空体）であることが望ましく、又、その長手方向の長さは、例えば、８ｍｍ乃至１２ｍｍに設定されるものであり、好ましくは、１０ｍｍである。
【００２７】
一方、本発明に於いて使用される当該連結部１５は、その長手方向に於ける一方の端部である上端部２１は、当該ゴルフボール搭載部８に於ける当該一方の端部（第１の端部）３に形成されている当該閉鎖状底面部４の底面と一体成型技術を介して接合固定されており、又、当該連結部１５に於ける、長手方向での他方の端部である下端部２０では、当該ゴルフボール搭載部８に対向する当該地面突刺部１４に於ける当該筒体部９の一方の端部（第３の端部）１０に設けられた当該フランジ部１３の上表面と一体成型構造を介して接合固定されているものである。
【００２８】
更に、本発明に於いて使用される当該連結部１５に於ける断面形状の最大の長さである径部の長さ、つまり、第３の径部Ｄ３の長さは、当該ゴルフボール搭載部８に於ける当該一方の端部（第１の端部）３に於ける当該第１の径部Ｄ１よりも短い長さに設定されている事が必要である。
本発明に於ける当該第３の径部Ｄ３の長さは、使用するエンジニアリング樹脂によって、特定の値に限定されるものではないが、例えば、使用樹脂として、ナイロン６、ナイロン６６の場合、２．１６ｍｍ〜２．６４ｍｍで、より好ましくは、２．４ｍｍ程度が実用的である。
この事は、換言するならば、当該連結部１５に於ける当該第３の径部Ｄ３の長さは、当該地面突刺部１４に於ける当該筒体部９の一方の端部である上端部１０に於ける第２の径部Ｄ２よりも短く設定されている事を示している。
一方、本発明に於ける当該連結部１５の長手方向の長さＬ２に対する当該連結部１５の径部の長さ（第３の径部の長さＤ３）の比は、使用するエンジニアリング樹脂によって、特に限定されるものではないが、例えば、使用樹脂として、ナイロン６、ナイロン６６の場合、０．２２乃至０．２７である事が望ましい具体例である。
【００２９】
次に、本発明に於いては、当該ゴルフティー１の基本的な構成は定められたが、本発明は、更に、同一種類の特定の合成樹脂を使用して、本発明に説明されている様な優れた作用効果を発揮させるためには、本発明に係る各構成部分に於ける構造的バランスが重要である事を、上記した多数の試験・分析を通じて知得したものであり、その主たるパラメーターとして、当該ゴルフティー１に於ける当該ゴルフボール搭載部８の下端部の最大径である当該第１の径部の長さＤ１と当該連結部１５の断面形状に於ける最大径部である当該第３の径部の長さＤ３との比率、即ち、（Ｄ１／Ｄ３）と、当該地面突刺部１４に於ける当該筒体部９の当該第１の端部の最大径部の長さである当該第２の径部の長さＤ２と当該第３の径部の長さＤ３に対する比（Ｄ２／Ｄ３）と、当該第３の径部の長さＤ３に対する当該第２の径部の長さＤ２の比（Ｄ２／Ｄ３）とを特定の値に制限することにより、本発明に係る当該ゴルフティー１の好ましい性能や機能性をより顕著に発揮させることが可能となる事が判明したものである。
【００３０】
本発明者は、上記した多くの実験や分析を通じて、上記したそれぞれの値が、以下の様な条件を満足する様に構造設計をすることが望ましいとの知見を得たものである。
即ち、（１）当該第３の径部の長さＤ３に対する当該第１の径部の長さＤ１の比
（Ｄ１／Ｄ３）が２．０前後であること、
（２）当該第３の径部の長さＤ３に対する当該第２の径部の長さＤ２の比
（Ｄ２／Ｄ３）が、２．４前後であること、
（３）当該第１の径部の長さＤ１に対する当該第２の径部の長さＤ２の比
（Ｄ２／Ｄ１）が１，１７前後であること、
【００３１】
次に、本発明に於いては、少なくとも、上記した本発明に係る主構成要件部間の接合部分に湾曲部（アール（Ｒ）部）を設ける事も望ましい具体例の一つである。
即ち、本発明に於ける別の態様に係る具体例に於いては、当該ゴルフボール搭載部８に於ける当該中空状筒体部９の一方の端部(第１の端部)３に形成されている当該閉鎖状底面部４と当該連結部１５の一方の端部２１との接合部分には、所望の曲率半径Ｒ１を以て構成された第１の湾曲部（アール（Ｒ１）部）が形成されており、当該地面突刺部１４に取り付けられている当該フランジ部１３と当該連結部１５の他方の端部２０との接合部分には、所望の曲率半径Ｒ２を以て構成された第２の湾曲部（アール（Ｒ２）部）が形成されており、更に、当該フランジ部１３と当該地面突刺部１４を構成する当該筒体部９の一方の端部(第１の端部)１０との接合部分には、所望の曲率半径Ｒ３を以て構成された第３の湾曲部（アール（Ｒ３）部）が形成されているものである。
【００３２】
本発明に於いて、当該所定の連結接合部分に、所望の湾曲部（アール（Ｒ）部）を設ける事によって、一種類の合成樹脂材料を使用して一体成型加工された最終商品に於いて、当該各接合固定部分の破断強度や接合強度及び摩耗性を向上させ、当該接合固定部分が容易に破壊や分離現象が発生しない様に補強される効果を有している。
此処で、本発明に於いて、本願発明者は、上記した多数の実験は分析を行った結果、当該各湾曲部（アール（Ｒ）部）に於けるそれぞれの曲率半径Ｒｎは以下の様に設定する事が望ましい具体例である。
即ち、（１）当該第１の湾曲部に於ける当該曲率半径Ｒ１は、３乃至６ｍｍ前後であり、
（２）当該第２の湾曲部に於ける当該曲率半径Ｒ２は、３乃至６ｍｍ前後であり、
（３）当該第３の湾曲部に於ける当該曲率半径Ｒ３は、２ｍｍ前後である、
事が望ましい事を知得したものである。
【００３３】
処で、本発明に係る当該ゴルフティー１の全体の構造に関しては、一応、国際的な規定が存在しており、基本的な規定としては、例えば、当該ゴルフティー１の全体の高さ、つまり、当該ゴルフボール搭載部８と、当該連結部１５と、当該地面突刺部１４との合計の長さＬが４インチ（つまり１０１．６ｍｍ）を超えないように設計されなければならないと規定されている一方で、当該ゴルフボール搭載部８の長さ（Ｌ１）、当該連結部１５の長さ（Ｌ２）及び当該地面突刺部１４の長さ（Ｌ３）は、それぞれ当該規定条件の範囲内に於いて、設計者が自由に設定することが出来る様になっている。
そこで、本発明に於いては、当該ゴルフティー１に於ける当該連結部１５の長さ（Ｌ２）が、使用される原料とその直径との兼ね合いで決定する事が、極めて重要な構成要件であるとの知見に基づき、本発明者は、鋭意実験と考察を積み重ねた結果、ナイロン６及びナイロン６６を原料として使用した場合、当該連結部１５の長さ（Ｌ２）が８ｍｍ乃至１２ｍｍで、より好ましくは、当該連結部１５の長さ（Ｌ２）が１０ｍｍの長さであることが望ましいとの結論を得たものであり、それによって本発明に於いては、当該連結部１５の長さ（Ｌ２）を１０ｍｍに略固定化して設計することが望ましい具体例である。
【００３４】
その一方で、当該ゴルフボール搭載部８と当該連結部１５との総合された長さを標準的な長さである４０ｍｍに設定する場合には、当該ゴルフボール搭載部８のみの長さ（Ｌ１）は、３０ｍｍ程度に設定することが好ましい具体例の一つである。
勿論、係る具体例に於いても、当該ゴルフボール搭載部８のみの長さ（Ｌ１）は、自由に変更することが可能であり、当該ゴルフボール搭載部８のみの長さ（Ｌ１）を３０ｍｍ以上としてロングゴルフティー１としても良く、或いは、その長さ（Ｌ１）を３０ｍｍ以下としてショートゴルフティー１としても良い事は言うまでもない。
【００３５】
本発明に係るゴルフティー１に於いては、上記した様な技術構成を採用する事によって、当該連結部１５が有する特定の形状並びに使用される合成樹脂の特性とから発生される可撓性に基づく撓（しなり）効果と当該地面突刺部１４が所有する地中面との高摩擦効果との相乗効果によって、ティーショット時に於いて当該ゴルフティー１が、ティーアップした地点から飛散せずにその位置に保持される確立を大幅に向上させるという効果も期待出来るのであり、上記した当該各技術構成要件の内で、最も重要な技術構成部分は、当該連結部１５の長さ（Ｌ２）であり、又、当該連結部１５の長さ（Ｌ２）の内で、当該湾曲部（アール部分）Ｒ１の長さ部分Ｌ２１と当該湾曲部（アール部分）Ｒ２の長さ部分Ｌ２３とを除外した残り部分の長さ部分Ｌ２１もそれに続く重要な技術構成部分であり、更には、当該連結部１５の直径の長さＤ３も同様に重要な技術構成部分である。
その他では、当該連結部１５の長さ（Ｌ２）の内で、当該湾曲部（アール部分）Ｒ１の長さ部分Ｌ２１と当該湾曲部（アール部分）Ｒ２の長さ部分Ｌ２３も上記した技術構成部分に続いて重要なファクターとして機能するものである。
【符号の説明】
【００３６】
１…ゴルフティー
２…中空状の筒体部
３…一方の端部（第１の端部）
４…閉鎖状底面部
５…他方の端部（第２の端部）
６…ゴルフボール支持片部
７…ゴルフボール受部
８…ゴルフボール搭載部
９…筒体部
１０…一方の端部（第３の端部）
１１…他方の端部(第４の端部)
１２…先鋭状の端部
１３…フランジ部
１４…地面突刺部
１５…連結部
１６…空間領域部
２０…連結部の下端部
２１…連結部の上端部
３０…ゴルフボール
３１…摩擦発生部
３２…外周表面
３３…突起部
【図１】
2019076648.tif 000003
【図２】
2019076648.tif 000004
【図３】
2019076648.tif 000005
【手続補正書】
【提出日】平成30年9月11日(2018.9.11)
【手続補正１】
【補正対象書類名】特許請求の範囲
【補正対象項目名】全文
【補正方法】変更
【補正の内容】
【特許請求の範囲】
【請求項１】
所望の長さと所望の断面形状を有する中空状の筒体部からなり、当該中空状の筒体部の一方の端部（第１の端部）は、第１の径部Ｄ１を有する閉鎖状底面部を形成しており、当該中空状の筒体部の他方の端部（第２の端部）には、複数個のゴルフボール支持片部が放射状に個別的に延展突出せしめられているゴルフボール受部が形成されている、ゴルフボール搭載部と、
所望の長さと所望の断面形状を有する中実状棒体部からなり、当該中実状棒体部の長手方向に於ける、当該ゴルフボール搭載部と対向する側における一方の端部（第３の端部）は、当該ゴルフボール搭載部に於ける当該第１の径部Ｄ１よりも大なる長さを持つ第２の径部Ｄ２を有すると共に、当該中実状棒体部の長手方向に於ける他方の端部(第４の端部)には、先鋭状の端部が形成されており、且つ、当該一方の端部（第３の端部）に於ける当該ゴルフボール搭載部と対向する部位には、当該第２の径部Ｄ２の長さよりも大なる長さである第４の径部Ｄ４を有するフランジ部が接合形成されている地面突刺部と、
当該ゴルフボール搭載部に於ける当該一方の端部（第１の端部）と、当該ゴルフボール搭載部に対向する当該地面突刺部に於ける当該一方の端部（第３の端部）に設けられた当該フランジ部との間に連結配置されている、所望の長さと所望の断面形状を有し、且つ、当該ゴルフボール搭載部に於ける当該一方の端部（第１の端部）に於ける当該第１の径部Ｄ１よりも短い長さである第３の径部Ｄ３を有する連結部と
から構成されたゴルフティーであって、然も、当該ゴルフボール搭載部と当該地面突刺部と当該連結部とは、同一の組成からなる合成樹脂材料により一体成型された構造を有するゴルフティーであって、且つ、当該フランジ部は、その厚みが１．５ｍｍ乃至３ｍｍで、円形状或いは多角形状の平面形状を有し、然も当該フランジ部に於ける当該地面突刺部の先端端部（第４の端部）方向に対向する面に形成されている平面部の平面が、当該地面突刺部の中心軸線と直交する様に形成されており、然も、当該連結部の長手方向の長さＬ２に対する当該連結部の径部の長さ（第３の径部の長さ）Ｄ３の比が、０．２２乃至０．２７である事を特徴とするゴルフティー。
【請求項２】
当該合成樹脂材料は、ナイロン６樹脂、ナイロン６６樹脂、ナイロン１２樹脂及び熱可塑性ポリエステルエラストマー樹脂或いはポリアセタール樹脂、ポリカーボネート樹脂等の所謂エンジニアリング樹脂から選択された一つの合成樹脂材料である事を特徴とする請求項１に記載のゴルフティー。
【請求項３】
当該第１の径部の長さＤ１は、４．５φ〜５．５φであり、
当該第３の径部の長さＤ３は、２．１６φ〜２．６４φである事を特徴とする請求項１又は２に記載のゴルフティー。     
【請求項４】
当該第３の径部の長さＤ３に対する当該第１の径部の長さＤ１の比（Ｄ１／Ｄ３）が２．０であることを特徴とする請求項１乃至３の何れかに記載のゴルフティー。
【請求項５】
当該ゴルフボール搭載部に於ける当該筒体部の一方の端部(第１の端部)に形成されている当該閉鎖状底面部と当該連結部の一方の端部との接合部分には、所望の曲率半径Ｒ１を以て構成された第１の湾曲部（アール（Ｒ）部）が形成されており、当該地面突刺部に取り付けられている当該フランジ部と当該連結部の他方の端部との接合部分には、所望の曲率半径Ｒ２を以て構成された第２の湾曲部（アール（Ｒ）部）が形成されており、更に、当該フランジ部と当該地面突刺部を構成する当該中実状棒体部の一方の端部(第１の端部)との接合部分には、所望の曲率半径Ｒ３を以て構成された第３の湾曲部（アール（Ｒ）部）が形成されていることを特徴とする請求項１乃至４の何れかに記載のゴルフティー。
【請求項６】
当該第１の湾曲部に於ける当該曲率半径Ｒ１は、３乃至６ｍｍであり、当該第２の湾曲部に於ける当該曲率半径Ｒ２は、３乃至６ｍｍであり、当該第３の湾曲部に於ける当該曲率半径Ｒ３は、２ｍｍであることを特徴とする請求項１乃至５の何れかに記載のゴルフティー。
【請求項７】
当該連結部の長手方向の長さＬ２は、８ｍｍ乃至１２ｍｍである事を特徴とする請求項１乃至６の何れかに記載のゴルフティー。
【手続補正２】
【補正対象書類名】明細書
【補正対象項目名】０００８
【補正方法】変更
【補正の内容】
【０００８】
本発明は、上記した従来技術の問題点を解決し、上記した本発明の目的を達成する為に、基本的には、以下に示す様な技術構成を採用するものである。
即ち、本発明の第１の態様は、所望の長さと所望の断面形状を有する中空状の筒体部からなり、当該中空状の筒体部の一方の端部（第１の端部）は、第１の径部Ｄ１を有する閉鎖状底面部を形成しており、当該中空状の筒体部の他方の端部（第２の端部）には、複数個のゴルフボール支持片部が放射状に個別的に延展突出せしめられているゴルフボール受部が形成されている、ゴルフボール搭載部と、
所望の長さと所望の断面形状を有する中実状棒体部からなり、当該中実状棒体部の長手方向に於ける、当該ゴルフボール搭載部と対向する側における一方の端部（第３の端部）は、当該ゴルフボール搭載部に於ける当該第１の径部Ｄ１よりも大なる長さを持つ第２の径部Ｄ２を有すると共に、当該筒体部の長手方向に於ける他方の端部(第４の端部)には、先鋭状の端部が形成されており、且つ、当該一方の端部（第３の端部）に於ける当該ゴルフボール搭載部と対向する部位には、当該第２の径部Ｄ２の長さよりも大なる長さである第４の径部Ｄ４を有するフランジ部が接合形成されている地面突刺部と、
当該ゴルフボール搭載部に於ける当該一方の端部（第１の端部）と、当該ゴルフボール搭載部に対向する当該地面突刺部に於ける当該一方の端部（第３の端部）に設けられた当該フランジ部との間に連結配置されている、所望の長さと所望の断面形状を有し、且つ、当該ゴルフボール搭載部に於ける当該一方の端部（第１の端部）に於ける当該第１の径部Ｄ１よりも短い長さである第３の径部Ｄ３を有する連結部材と
から構成されたゴルフティーであって、然も、当該ゴルフボール搭載部と当該地面突刺部と当該連結部材とは、同一の組成からなる合成樹脂材料により一体成型された構造を有するものである事を特徴とするゴルフティーであり、又、本発明に係る第２の態様としては、上記した本発明に係る第１の態様に於いて、当該合成樹脂材料は、ポリオレフィン系合成樹脂、ポリプロピレン系合成樹脂、ＡＢＳ合成樹脂等の所謂汎用性合成樹脂とは異なる、ナイロン６樹脂、ナイロン６６樹脂、ナイロン１２樹脂及び熱可塑性ポリエステルエラストマー樹脂或いはポリアセタール樹脂、ポリカーボネート樹脂等の所謂エンジニアリング樹脂等から選択された一つの合成樹脂材料である事を特徴とするゴルフティーである。
【手続補正３】
【補正対象書類名】明細書
【補正対象項目名】０００９
【補正方法】変更
【補正の内容】
【０００９】
一方、本発明に係る第３の態様としては、上記した本発明に係る当該第１及び第２の各態様に於いて、当該地面突刺部に於ける当該中実状棒体部の外周表面には、当該中実状棒体部の長手方向に沿って所定の間隔で、当該中実状棒体部の長手方向中心軸線と直交する方向に、所定の高さを有する環状の突起部からなる複数本の摩擦発生部が、配置されていることを特徴とするゴルフティーである。
係る摩擦発生部の存在により、ティーショット時に、当該ゴルフティーの地面突刺し部と地中の土部との摩擦性が大幅に強化されているので、当該ゴルフティーが飛散する機会の発生を大幅に抑制することが可能となる。
【手続補正４】
【補正対象書類名】明細書
【補正対象項目名】００１２
【補正方法】変更
【補正の内容】
【００１２】
以下に本発明に係る当該ゴルフティーに付いて、具体的な構成例を、図面を参照しながら詳細に説明する。
即ち、図１は、本発明に係る当該ゴルフティー１の一具体例の構成説明する図であり、図中、所望の長さと所望の断面形状を有する中空状の筒体部２からなり、当該中空状の筒体部２の一方の端部（第１の端部）３は、第１の径部Ｄ１を有する閉鎖状底面部４を形成しており、当該中空状の筒体部２の他方の端部（第２の端部）５には、複数個のゴルフボール支持片部６が放射状に個別的に延展突出せしめられているゴルフボール受部７が形成されている、ゴルフボール搭載部８と、
所望の長さと所望の断面形状を有する中実状棒体部９からなり、当該中実状棒体部の長手方向に於ける、当該ゴルフボール搭載部８と対向する側における一方の端部（第３の端部）１０は、当該ゴルフボール搭載部８に於ける当該第１の径部Ｄ１よりも大なる長さを持つ第２の径部Ｄ２を有すると共に、当該中実状棒体部の長手方向に於ける他方の端部(第４の端部)１１には、先鋭状の端部１２が形成されており、且つ、当該一方の端部（第３の端部）１０に於ける当該ゴルフボール搭載部８と対向する部位には、当該第２の径部Ｄ２の長さよりも大なる長さである第４の径部Ｄ４を有するフランジ部１３が接合形成されている地面突刺部１４と、当該ゴルフボール搭載部８に於ける当該一方の端部（第１の端部）３と、当該ゴルフボール搭載部８に対向する当該地面突刺部１４に於ける当該一方の端部（第３の端部）１０に設けられた当該フランジ部１３との間に連結配置されている、所望の長さと所望の断面形状を有し、且つ、当該ゴルフボール搭載部８に於ける当該一方の端部（第１の端部）３に於ける当該第１の径部Ｄ１よりも短い長さである第３の径部Ｄ３を有する連結部１５と、から構成されたゴルフティー１であって、然も、当該ゴルフボール搭載部８と当該地面突刺部１４と当該連結部１５とは、同一の組成からなる合成樹脂材料により一体成型された構造を有するものである事を特徴とするゴルフティー１が示されている。
【手続補正５】
【補正対象書類名】明細書
【補正対象項目名】００１７
【補正方法】変更
【補正の内容】
【００１７】
次に、本発明に係る当該ゴルフティー１の具体例に於けるより詳細な別の構成例を説明するならば、図１及び図２に記載されている通り、例えば、所望の長さと所望の断面形状を有する中空状の筒体部２からなり、当該筒体部２の長手方向に於ける一方の端部（第１の端部）３は、所定の長さの最大径部を持つ第１の径部Ｄ１を有する閉鎖状底面部４を形成しており、当該中空状の筒体部２の当該一方の端部（第１の端部）３から他方の端部（第２の端部）５に向けて、漸次、当該第１の径部Ｄ１が増大する様に延展せしめられているか、或いは、当該一方の端部（第１の端部）３から所定の距離の間では、当該中空状の筒体部２に於ける当該第１の径部Ｄ１の長さが一定の状態で維持されたまま延展部せしめられ、その後、当該第１の径部Ｄ１が漸次増大する様に延展せしめられている様に構成され、且つ、当該他方の端部（第２の端部）５若しくはその近傍部には、複数個のゴルフボール支持片部６が放射状に個別的に延展突出せしめられて、ゴルフボール受部７が形成されているゴルフボール搭載部８と、所望の長さと所望の断面形状を有する中実状棒体部９からなり、当該中実状棒体部９の長手方向に於ける、当該ゴルフボール搭載部８と対向する側における当該一方の端部（第３の端部）１０は、当該ゴルフボール搭載部８に於ける当該一方の端部（第１の端部）３に於ける当該第１の径部Ｄ１よりも大なる長さを持つ第２の径部Ｄ２を有すると共に、当該一方の端部（第３の端部）１０から、当該中実状棒体部９の長手方向に於ける他方の端部(第４の端部)１１に向けて、漸次当該第２の径部Ｄ２が減少する様に延展せしめられているか、或いは、当該一方の端部（第３の端部）１０から所定の距離の間では、当該中実状棒体部９に於ける当該第２の径部Ｄ２の長さが一定の状態で維持されたまま延展部せしめられ、その後、当該第２の径部Ｄ２の長さが漸次減少する様に延展せしめられて終局的には、当該他方の端部(第４の端部)１１に、先鋭状の端部１２が形成されており、且つ、当該一方の端部（第３の端部）１０に於ける当該ゴルフボール搭載部８と対向する部位には、所望の平面形状と所望の厚みを有し、且つ、当該第２の径部Ｄ２の長さよりも大なる長さを有する第４の径部Ｄ４を有するフランジ部１３が接合形成されている地面突刺部１４と、当該ゴルフボール搭載部８に於ける当該一方の端部（第１の端部）３と、当該ゴルフボール搭載部８に対向する当該地面突刺部１４に於ける当該一方の端部（第３の端部）１０に設けられた当該フランジ部１３との間に連結配置されている、所望の長さと所望の断面形状を有し、且つ、当該ゴルフボール搭載部８に於ける当該一方の端部（第１の端部）３に於ける当該第１の径部Ｄ１よりも短い長さである第３の径部Ｄ３を有する連結部１５とから構成されたゴルフティー１であって、然も、当該ゴルフボール搭載部８と当該地面突刺部１４と当該連結部１５とは、同一の組成からなる合成樹脂材料により一体成型された構造を有するゴルフティー１である。
【手続補正６】
【補正対象書類名】明細書
【補正対象項目名】００２２
【補正方法】変更
【補正の内容】
【００２２】
一方、本発明に於ける当該ゴルフティー１を構成する当該地面突刺部１４は、所望の長さと所望の断面形状を有する非中空状の中実状棒体部９からなり、当該中実状棒体部９の長手方向の長さは、特に限定されるものではないが、例えば、２５ｍｍ乃至５０ｍｍの範囲で適宜に選択されることが望ましく、又、その断面形状も特に限定されるものではないが、例えば、円形状、多角形状等を有する中実状棒体部９である事が望ましい具体例である。
更に、本発明に係る当該地面突刺部１４に於ける、当該ゴルフボール搭載部８と対向する側における当該一方の端部（第３の端部）１０は、当該ゴルフボール搭載部８に於ける当該一方の端部（第１の端部）３に於ける当該第１の径部Ｄ１よりも大なる長さを持つ第２の径部Ｄ２を有するものである事が必要である。
具体的には、当該第２の径部Ｄ２は、例えば、５．０４ｍｍ〜６．１６ｍｍである事が望ましく、より好ましい具体例としては、当該第２の径部の長さＤ２は、５．８ｍｍである。
【手続補正７】
【補正対象書類名】明細書
【補正対象項目名】００２３
【補正方法】変更
【補正の内容】
【００２３】
更に、本発明に於ける当該地面突刺部１４に於ける当該中実状棒体部９の他方の端部１１（つまり第４の端部）は、当該基板部４を地中に差し込む操作を容易に達成出来る様に、先鋭化された突起状部１２を形成している事が望ましい具体例であり、その為、当該中実状棒体部９は、その中間部分の所望の部位から当該尖端部１１にかけて、その径部、即ち当該第２の径部Ｄ２の長さ、がその先端部に向けて漸次減少する様に構成されている事が望ましい。
より具体的には、当該非中空状の中実状棒体部９に於ける、長手方向でみた、当該一方の端部（第３の端部）１０から、当該中実状棒体部９の長手方向に於ける他方の端部(第４の端部)１１に向けて、漸次当該第２の径部Ｄ２が減少する様に延展せしめられているか、或いは、当該一方の端部（第３の端部）１０から所定の距離の間、例えば、１０ｍｍ乃至３０ｍｍの間では、当該中実状棒体部９に於ける当該第２の径部Ｄ２の長さが一定の状態で維持されたまま延展部せしめられ、その後、当該第２の径部Ｄ２の長さが漸次減少する様に延展せしめられて終局的には、当該他方の端部(第４の端部)１１に、先鋭状の端部１２が形成される様に構成されているものであっても良い。
【手続補正８】
【補正対象書類名】明細書
【補正対象項目名】００２４
【補正方法】変更
【補正の内容】
【００２４】
一方、本発明に於ける当該ゴルフティー１に於いては、当該中実状棒体部９の当該一方の端部（第３の端部）１０に於ける、当該ゴルフボール搭載部８と対向する面を構成する部位には、所望の平面形状と所望の厚みを有するフランジ部１３が接合形成されているものであって、当該フランジ部１３の平面形状やその厚みは特に限定されるものではないが、例えば、円形状或いは多角形状の平面形状で、厚みが１．５ｍｍ乃至３ｍｍ程度に設定されている事が望ましい具体例である。
当該フランジ部１３は、本発明に係る当該ゴルフティー１を所望のティーグランドに於ける所望の地表面に突き刺して固定する場合に、当該ゴルフティー１の中心軸線が、当該ティーグランドの地表面に対して略垂直に突き刺さる様に、ゴルフプレーヤーをアシストする機能を有するものであり、更には、当該フランジ部１３は、当該フランジ部１３が、当該ティーグランドの地表面と並行して接触した状態が、当該ゴルフボール３０が、当該ティーグランドの地表面から標準的な高さに設定される様な位置に設けられている事が望ましい具体例である。
【手続補正９】
【補正対象書類名】明細書
【補正対象項目名】００２５
【補正方法】変更
【補正の内容】
【００２５】
又、当該フランジ部１３は、本発明に係る当該ゴルフティー１を当該ティーグランドの地表面に垂直に突き刺す事が出来る様な機能を有するものであって、従って、当該フランジ部１３の形成する平面と当該地面突刺部１４の長手方向の中心軸線とは、直交する様に配置される事が望ましい具体例である。
更に、本発明に於いて使用される当該フランジ部１３の径の長さ、つまりその最大径の長さ（第４の径部Ｄ４）は、特に限定されるものではないが、例えば、当該地面突刺部１４に於ける当該中実状棒体部９の当該一方の端部（第３の端部）１０が示す径部の長さ、つまり、当該第２の径部Ｄ２よりも長い長さに設定されている事は望ましい具体例であり、例えば、１０．８ｍｍ〜１３．２ｍｍである事が好ましく、この長さは、当然のことながら、当該ゴルフボール搭載部８に於ける下端部３に於ける底面部４の最大径部の長さ、つまり当該第１の径部Ｄ１よりも長く設定されるものである事は言うまでもない。
尚、本発明に於ける当該地面突刺部１４の当該中実状棒体部９の外周表面には、当該地面突刺部に於ける当該中実状棒体部９の外周表面３２には、地中面との摩擦効果を上げる為には、色々な形状があるが、当該中実状棒体部９の長手方向に沿って、当該中実状棒体部９の長手方向中心軸線と直交する方向に、所定の高さを有する環状の突起部３３からなる複数本の摩擦発生部３１が、配置されていることが最も易しい具体例の一つである。
【手続補正１０】
【補正対象書類名】明細書
【補正対象項目名】００２６
【補正方法】変更
【補正の内容】
【００２６】
本発明に於いて使用される当該摩擦発生部３１は、当該中実状棒体部９の外周表面３２の面上から外方に向けて突出形成された環状の突起物で構成されているものであっても良く、その断面形状や、突起の高さ或いは配置間隔等は特に限定されるものではなく、任意に設定されるものであってもよいが、例えば、断面形状が半円球、矩形、三角形等から選択された一つの断面形状を有し、かつその突起高さは、例えば、筒体部の本体表面部から０．２ｍｍ乃至０．５ｍｍであっても良く、更に、その相互配列間隔や使用個数は、例えば、３個から７個で、２ｍｍ乃至１０ｍｍの相互間隔で配置されているものであってもよい。
勿論、本発明に於ける当該摩擦発生部３１も、上記した各構成部材と同様の合成樹脂成分を使用して、一体型成型加工により成型されたものであることが望ましい具体例である。
そして、本発明に於いて使用される当該中実状棒体部９の外周表面３２上に配置される当該摩擦発生部３１は、当該ゴルフティー１を地中から引き抜く際の抵抗成分としての機能を有するものであって、ティーショット時にゴルフティーがその衝撃力によって、思わぬ方向に飛散することを防止出来ると言う優れた作用効果を発揮することが可能となるのである。
本発明に於ける当該ゴルフティー１は、更に、上記した当該ゴルフボール搭載部８と当該基板部１４とを一体的に連結結合させている当該連結部１５が配置形成されているものである。
即ち、本発明に於いて使用される当該連結部１５は、所望の長さを有し、且つ所望の断面形状を有する棒状体から構成されており、当該長手方向の長さとその断面形状は特に特定されるものではないが、例えば、円形、多角形の中実型円筒体である、中実状棒体部（つまり非中空体）であることが望ましく、又、その長手方向の長さは、例えば、８ｍｍ乃至１２ｍｍに設定されるものであり、好ましくは、１０ｍｍである。
【手続補正１１】
【補正対象書類名】明細書
【補正対象項目名】００２７
【補正方法】変更
【補正の内容】
【００２７】
一方、本発明に於いて使用される当該連結部１５は、その長手方向に於ける一方の端部である上端部２１は、当該ゴルフボール搭載部８に於ける当該一方の端部（第１の端部）３に形成されている当該閉鎖状底面部４の底面と一体成型技術を介して接合固定されており、又、当該連結部１５に於ける、長手方向での他方の端部である下端部２０では、当該ゴルフボール搭載部８に対向する当該地面突刺部１４に於ける当該中実状棒体部９の一方の端部（第３の端部）１０に設けられた当該フランジ部１３の上表面と一体成型構造を介して接合固定されているものである。
【手続補正１２】
【補正対象書類名】明細書
【補正対象項目名】００２８
【補正方法】変更
【補正の内容】
【００２８】
更に、本発明に於いて使用される当該連結部１５に於ける断面形状の最大の長さである径部の長さ、つまり、第３の径部Ｄ３の長さは、当該ゴルフボール搭載部８に於ける当該一方の端部（第１の端部）３に於ける当該第１の径部Ｄ１よりも短い長さに設定されている事が必要である。
本発明に於ける当該第３の径部Ｄ３の長さは、使用するエンジニアリング樹脂によって、特定の値に限定されるものではないが、例えば、使用樹脂として、ナイロン６、ナイロン６６の場合、２．１６ｍｍ〜２．６４ｍｍで、より好ましくは、２．４ｍｍ程度が実用的である。
この事は、換言するならば、当該連結部１５に於ける当該第３の径部Ｄ３の長さは、当該地面突刺部１４に於ける当該中実状棒体部９の一方の端部である上端部１０に於ける第２の径部Ｄ２よりも短く設定されている事を示している。
一方、本発明に於ける当該連結部１５の長手方向の長さＬ２に対する当該連結部１５の径部の長さ（第３の径部の長さＤ３）の比は、使用するエンジニアリング樹脂によって、特に限定されるものではないが、例えば、使用樹脂として、ナイロン６、ナイロン６６の場合、０．２２乃至０．２７である事が望ましい具体例である。
【手続補正１３】
【補正対象書類名】明細書
【補正対象項目名】００２９
【補正方法】変更
【補正の内容】
【００２９】
次に、本発明に於いては、当該ゴルフティー１の基本的な構成は定められたが、本発明は、更に、同一種類の特定の合成樹脂を使用して、本発明に説明されている様な優れた作用効果を発揮させるためには、本発明に係る各構成部分に於ける構造的バランスが重要である事を、上記した多数の試験・分析を通じて知得したものであり、その主たるパラメーターとして、当該ゴルフティー１に於ける当該ゴルフボール搭載部８の下端部の最大径である当該第１の径部の長さＤ１と当該連結部１５の断面形状に於ける最大径部である当該第３の径部の長さＤ３との比率、即ち、（Ｄ１／Ｄ３）と、当該地面突刺部１４に於ける当該中実状棒体部９の当該第１の端部の最大径部の長さである当該第２の径部の長さＤ２と当該第３の径部の長さＤ３に対する比（Ｄ２／Ｄ３）と、当該第１の径部の長さＤ１に対する当該第２の径部の長さＤ２の比（Ｄ２／Ｄ１）とを特定の値に制限することにより、本発明に係る当該ゴルフティー１の好ましい性能や機能性をより顕著に発揮させることが可能となる事が判明したものである。
【手続補正１４】
【補正対象書類名】明細書
【補正対象項目名】００３１
【補正方法】変更
【補正の内容】
【００３１】
次に、本発明に於いては、少なくとも、上記した本発明に係る主構成要件部間の接合部分に湾曲部（アール（Ｒ）部）を設ける事も望ましい具体例の一つである。
即ち、本発明に於ける別の態様に係る具体例に於いては、当該ゴルフボール搭載部８に於ける当該中実状棒体部９の一方の端部(第１の端部)３に形成されている当該閉鎖状底面部４と当該連結部１５の一方の端部２１との接合部分には、所望の曲率半径Ｒ１を以て構成された第１の湾曲部（アール（Ｒ１）部）が形成されており、当該地面突刺部１４に取り付けられている当該フランジ部１３と当該連結部１５の他方の端部２０との接合部分には、所望の曲率半径Ｒ２を以て構成された第２の湾曲部（アール（Ｒ２）部）が形成されており、更に、当該フランジ部１３と当該地面突刺部１４を構成する当該筒体部９の一方の端部(第１の端部)１０との接合部分には、所望の曲率半径Ｒ３を以て構成された第３の湾曲部（アール（Ｒ３）部）が形成されているものである。
【手続補正１５】
【補正対象書類名】明細書
【補正対象項目名】００３６
【補正方法】変更
【補正の内容】
【００３６】
１…ゴルフティー
２…中空状の筒体部
３…一方の端部（第１の端部）
４…閉鎖状底面部
５…他方の端部（第２の端部）
６…ゴルフボール支持片部
７…ゴルフボール受部
８…ゴルフボール搭載部
９…中実状棒体部
１０…一方の端部（第３の端部）
１１…他方の端部(第４の端部)
１２…先鋭状の端部
１３…フランジ部
１４…地面突刺部
１５…連結部
１６…空間領域部
２０…連結部の下端部
２１…連結部の上端部
３０…ゴルフボール
３１…摩擦発生部
３２…外周表面
３３…突起部
【手続補正１６】
【補正対象書類名】明細書
【補正対象項目名】０００７
【補正方法】変更
【補正の内容】
【０００７】
従って、本発明の目的は、上記した従来技術の問題点を改良し、構成が簡易で、軽量化が実現され、且つ、ティーショット時に、当該ゴルフティーと所望のクラブヘッドとの衝突時に於いて、当該ゴルフティーの破損を防止すると共に、当該ゴルフティーと当該クラブヘッドとの衝突時に於ける摩擦抵抗や衝撃抵抗を低減させて、ゴルフボールの飛距離の増大と飛行方向の確実性を向上させる事が可能な、安価で使用が容易で、然も何回でも繰り返し使用が可能な経済的な効果を有するゴルフティーを提供するものである。
本発明は、ゴルフティーに関するものであり、更に詳しくは、簡易な構成でありながら、適度の剛性と柔軟性を持ち、ティーショット時に於ける当該ゴルフティーとクラブヘッドの衝突時における当該ゴルフティーの破損を少なく、且つ、ティーショット時に当該ゴルフティーが、そのセット地点にそのまま保持されているか、或いは飛ばされても当該ゴルフティーが、当該セットした地点の極近傍の範囲内に着地する様に構成されている事から、ティーショット後の当該ゴルフティーを探し回る時間と手間が大幅に削除されるので、ゴルフプレイの時間を大幅に削減出来ると言うに優れた作用効果を有するゴルフティーに関するものでると同時に、ティーショット時に於ける当該ゴルフティーとクラブヘッドの衝突時における抵抗を小さくし、且つそれによるゴルフティーの破損も少ないことから、多数回もの使用に耐え、経済的であると同時に、ゴルフボールへ付加される衝撃力を低下させる事がないことから、ゴルフボールの飛距離も伸ばせるという優れた作用効果を有するゴルフティーに関するものである。
更に、本発明に係るゴルフティーは、当該連結部が有する特定の形状並びに使用される合成樹脂の特性とから発生される可撓性に基づく撓（しなり）効果が働き、ティーショット時に於いて当該ゴルフティーが、ティーアップした地点から飛散せずにその位置に保持されるという効果も期待出来るのである。
更に、飛散防止効果を上げる為には、当該地面突刺部の長さ方向の中央部にラグビーボールの様ななだらかな凸部を設けたり、又、図１等に示されている様な突起状リング３１を複数個設ける事も一つの方法であり、摩擦効果を上げる手段としては色々と有るので、本発明の様な突起状リング３１の使用は本発明の主眼点では有りません。  
【手続補正書】
【提出日】平成31年1月24日(2019.1.24)
【手続補正１】
【補正対象書類名】特許請求の範囲
【補正対象項目名】全文
【補正方法】変更
【補正の内容】
【特許請求の範囲】
【請求項１】
所望の長さと所望の断面形状を有する中空状の筒体部からなり、当該中空状の筒体部の一方の端部（第１の端部）は、第１の径部Ｄ１を有する閉鎖状底面部を形成しており、当該中空状の筒体部の他方の端部（第２の端部）には、複数個のゴルフボール支持片部が放射状に個別的に延展突出せしめられているゴルフボール受部が形成されている、ゴルフボール搭載部と、
所望の長さと所望の断面形状を有する中実状棒体部からなり、当該中実状棒体部の長手方向に於ける、当該ゴルフボール搭載部と対向する側における一方の端部（第３の端部）は、当該ゴルフボール搭載部に於ける当該第１の径部Ｄ１よりも大なる長さを持つ第２の径部Ｄ２を有すると共に、当該中実状棒体部の長手方向に於ける他方の端部(第４の端部)には、先鋭状の端部が形成されており、且つ、当該一方の端部（第３の端部）に於ける当該ゴルフボール搭載部と対向する部位には、当該第２の径部Ｄ２の長さよりも大なる長さである第４の径部Ｄ４を有するフランジ部が接合形成されている地面突刺部と、
当該ゴルフボール搭載部に於ける当該一方の端部（第１の端部）と、当該ゴルフボール搭載部に対向する当該地面突刺部に於ける当該一方の端部（第３の端部）に設けられた当該フランジ部との間に連結配置されている、所望の長さと所望の断面形状を有し、且つ、当該ゴルフボール搭載部に於ける当該一方の端部（第１の端部）に於ける当該第１の径部Ｄ１よりも短い長さである第３の径部Ｄ３を有する連結部と
から構成されたゴルフティーであって、然も、当該ゴルフボール搭載部と当該地面突刺部と当該連結部とは、同一の組成からなる合成樹脂材料により一体成型された構造を有するゴルフティーであって、且つ、当該フランジ部は、その厚みが１．５ｍｍ乃至３ｍｍで、円形状或いは多角形状の平面形状を有し、然も当該フランジ部に於ける当該地面突刺部の先端端部（第４の端部）方向に対向する面に形成されている平面部の平面が、当該地面突刺部の中心軸線と直交する様に形成されており、然も、当該連結部の長手方向の長さＬ２に対する当該連結部の径部の長さ（第３の径部の長さ）Ｄ３の比が、０．２２乃至０．２７である事を特徴とするゴルフティー。
【請求項２】
当該合成樹脂材料は、ナイロン６樹脂、ナイロン６６樹脂、ナイロン１２樹脂及び熱可塑性ポリエステルエラストマー樹脂或いはポリアセタール樹脂、ポリカーボネート樹脂等の所謂エンジニアリング樹脂から選択された一つの合成樹脂材料である事を特徴とする請求項１に記載のゴルフティー。
【請求項３】
当該第１の径部の長さＤ１は、４．５φ〜５．５φであり、
当該第３の径部の長さＤ３は、２．１６φ〜２．６４φである事を特徴とする請求項１又は２に記載のゴルフティー。     
【請求項４】
当該第３の径部の長さＤ３に対する当該第１の径部の長さＤ１の比（Ｄ１／Ｄ３）が２．０であることを特徴とする請求項１乃至３の何れかに記載のゴルフティー。
【請求項５】
当該ゴルフボール搭載部に於ける当該筒体部の一方の端部(第１の端部)に形成されている当該閉鎖状底面部と当該連結部の一方の端部との接合部分には、所望の曲率半径Ｒ１を以て構成された第１の湾曲部（アール（Ｒ）部）が形成されており、当該地面突刺部に取り付けられている当該フランジ部と当該連結部の他方の端部との接合部分には、所望の曲率半径Ｒ２を以て構成された第２の湾曲部（アール（Ｒ）部）が形成されており、更に、当該フランジ部と当該地面突刺部を構成する当該中実状棒体部の一方の端部(第１の端部)との接合部分には、所望の曲率半径Ｒ３を以て構成された第３の湾曲部（アール（Ｒ）部）が形成されていることを特徴とする請求項１乃至４の何れかに記載のゴルフティー。
【請求項６】
当該第１の湾曲部に於ける当該曲率半径Ｒ１は、３乃至６ｍｍであり、当該第２の湾曲部に於ける当該曲率半径Ｒ２は、３乃至６ｍｍであり、当該第３の湾曲部に於ける当該曲率半径Ｒ３は、２ｍｍであることを特徴とする請求項５に記載のゴルフティー。
【請求項７】
当該連結部の長手方向の長さＬ２は、８ｍｍ乃至１２ｍｍである事を特徴とする請求項１乃至６の何れかに記載のゴルフティー。
【手続補正２】
【補正対象書類名】明細書
【補正対象項目名】０００７
【補正方法】変更
【補正の内容】
【０００７】
従って、本発明の目的は、上記した従来技術の問題点を改良し、構成が簡易で、軽量化が実現され、且つ、ティーショット時に、当該ゴルフティーと所望のクラブヘッドとの衝突時に於いて、当該ゴルフティーの破損を防止すると共に、当該ゴルフティーと当該クラブヘッドとの衝突時に於ける摩擦抵抗や衝撃抵抗を低減させて、ゴルフボールの飛距離の増大と飛行方向の確実性を向上させる事が可能な、安価で使用が容易で、然も何回でも繰り返し使用が可能な経済的な効果を有するゴルフティーを提供するものである。
本発明は、ゴルフティーに関するものであり、更に詳しくは、簡易な構成でありながら、適度の剛性と柔軟性を持ち、ティーショット時に於ける当該ゴルフティーとクラブヘッドの衝突時における当該ゴルフティーの破損を少なく、且つ、ティーショット時に当該ゴルフティーが、そのセット地点にそのまま保持されているか、或いは飛ばされても当該ゴルフティーが、当該セットした地点の極近傍の範囲内に着地する様に構成されている事から、ティーショット後の当該ゴルフティーを探し回る時間と手間が大幅に削除されるので、ゴルフプレイの時間を大幅に削減出来ると言うに優れた作用効果を有するゴルフティーに関するものでると同時に、ティーショット時に於ける当該ゴルフティーとクラブヘッドの衝突時における抵抗を小さくし、且つそれによるゴルフティーの破損も少ないことから、多数回もの使用に耐え、経済的であると同時に、ゴルフボールへ付加される衝撃力を低下させる事がないことから、ゴルフボールの飛距離も伸ばせるという優れた作用効果を有するゴルフティーに関するものである。
更に、本発明に係るゴルフティーは、当該連結部が有する特定の形状並びに使用される合成樹脂の特性とから発生される可撓性に基づく撓（しなり）効果が働き、ティーショット時に於いて当該ゴルフティーが、ティーアップした地点から飛散せずにその位置に保持されるという効果も期待出来るのである。